(57)【要約】【課題】レーザー加工の工数を低減し、コストを軽減することのできる電子時計を提供すること。【解決手段】リング状のアンテナ１１０の上面に無給電パターン１１２ａを形成し、内周側側面に給電パターン１１２ｂを形成する。クリップ形状の給電プレート１１４の第１片１１４ａに形成された第１凹部１１４ｄをアンテナ１１０の側面側凸部１１０ｅに係合させ、給電プレート１１４の第２片１１４ｃに形成された第２凹部１１４ｅをアンテナ１１０の底面側凸部１１０ｆに係合させて、給電プレート１１４の第１片１１４ａを給電パターン１１２ｂに接触させる。給電プレート１１４を取り付けたアンテナ１１０を地板１２５に取り付け、給電ピン１１５の一方の端部を給電プレート１１４の第２片１１４ｃに接触させ、給電ピン１１５の他方の端部を回路基板１２０に接触させる。【選択図】図１８
2015220572.tif 000002
【特許請求の範囲】
【請求項１】
上面及び傾斜した側面にパターンが形成されたアンテナと、
前記アンテナの底面と対向する位置に配置され、前記側面に形成されたパターンに給電を行うための給電ピンと、
前記側面に形成されたパターン及び前記底面に接触する給電プレートと、を備え、
前記給電プレートは、前記アンテナの底面側において、前記給電ピンと接触する給電ランド部として用いられる、
ことを特徴とする電子時計。
【請求項２】
上面及び傾斜した側面にパターンが形成されたアンテナと、
前記アンテナの底面と対向する位置に配置され、前記側面に形成されたパターンに給電を行うための給電ピンと、
前記パターンが形成された前記側面から前記底面を貫通する貫通孔と、
前記貫通孔の内周に形成され、前記側面に形成されたパターンと接続する内周パターンと、
前記貫通孔に収容され、前記内周パターンに接触するアンテナ導通ピンと、を備え、
前記アンテナ導通ピンの底面は、前記給電ピンと接触する給電ランド部として用いられる、
ことを特徴とする電子時計。
【請求項３】
前記アンテナは環状に形成されたアンテナであり、
前記上面に形成されたパターンは無給電パターンであり、
前記側面に形成されたパターンは、前記環状のアンテナの内周側斜面に形成された給電パターンであり、
前記給電プレートは、前記内周側斜面に形成された給電パターンに接触する第１片と、前記底面に接触する第２片とが、中間部により接続された板バネ状部材である、
ことを特徴とする請求項１に記載の電子時計。
【請求項４】
前記アンテナは環状に形成されたアンテナであり、
前記上面に形成されたパターンは無給電パターンであり、
前記側面に形成されたパターンは、前記環状のアンテナの内周側斜面に形成された給電パターンであり、
前記アンテナ導通ピンは、鍔部を有し、
前記アンテナの貫通孔には前記鍔部と係合する段差部が形成され、
前記内周側斜面に形成された給電パターンと接続された内周パターンが、前記貫通部の内周面に形成されており、
前記アンテナ導通ピンの底面が前記給電ランド部として用いられる、
ことを特徴とする請求項２に記載の電子時計。
【発明の詳細な説明】
【技術分野】
【０００１】
本発明は、アンテナを備えた電子時計に関する。
【背景技術】
【０００２】
ＧＰＳ衛星からの電波情報を取得し正確な時刻を表示するＧＰＳ時計において、電波を受信するためリング状のアンテナを用いた時計が提案されている。リング状のアンテナは、リング状に形成した誘電体の全面にニッケルメッキ及び金メッキを行い、上面には無給電の受信用エレメントと給電エレメントを、また、底面には給電用ランドをそれぞれレーザー加工によるパターニングで形成している。また、給電エレメントと給電用ランドの間には、メッキにより給電部を形成し、給電エレメントと給電用ランドの導通を図っている（例えば、特許文献１）。
【先行技術文献】
【特許文献】
【０００３】
【特許文献１】特開２０１３−１８３４３７号公報
【発明の概要】
【発明が解決しようとする課題】
【０００４】
しかしながら、給電エレメントと無給電の受信用エレメントは同一方向からのレーザー加工が可能であるが、給電用ランドのレーザー加工は反対面からの加工が必要となり、それぞれの面を加工するためレーザー加工費が増えるという問題があった。
【０００５】
本発明は、上述した事情に鑑みてなされたものであり、レーザー加工の工数を低減し、コストを軽減することのできる電子時計を提供することを解決課題としている。
【課題を解決するための手段】
【０００６】
以上の課題を解決するため、本発明に係る電子時計は、上面及び傾斜した側面にパターンが形成されたアンテナと、前記アンテナの底面と対向する位置に配置され、前記側面に形成されたパターンに給電を行うための給電ピンと、前記側面に形成されたパターン及び前記底面に接触する給電プレートとを備え、前記給電プレートは、前記アンテナの底面側において、前記給電ピンと接触する給電ランド部として用いられることを特徴とする。
【０００７】
本発明によれば、給電ピンはアンテナの底面側において給電ランド部として用いられる給電プレートと接触する。給電プレートは、アンテナの底面に接触すると共に、アンテナの側面に形成されたパターンに接触している。したがって、給電プレートを介して、アンテナの側面に形成されたパターンと給電ピンとの導通が図られることになり、アンテナの側面に形成されたパターンにより受信された電波が回路基板に対して給電される。このように、アンテナの底面にパターンを形成することなく、アンテナの側面に形成されたパターンから回路基板への給電が可能となる。なお、本発明において、「アンテナ」は、リング状のアンテナ、パッチアンテナ、チップアンテナ、逆Ｆアンテナ等を含む概念である。
【０００８】
以上の課題を解決するため、本発明に係る電子時計は、上面及び傾斜した側面にパターンが形成されたアンテナと、前記アンテナの底面と対向する位置に配置され、前記側面に形成されたパターンに給電を行うための給電ピンと、前記パターンが形成された前記側面から前記底面を貫通する貫通孔と、前記貫通孔の内周に形成され、前記側面に形成されたパターンと接続する内周パターンと、前記貫通孔に収容され、前記内周パターンに接触するアンテナ導通ピンとを備え、前記アンテナ導通ピンの底面は、前記給電ピンと接触する給電ランド部として用いられることを特徴とする。
【０００９】
本発明によれば、給電ピンは給電ランド部として用いられるアンテナ導通ピンの底面と接触する。アンテナ導通ピンは、アンテナの側面から底面を貫通する貫通孔に収容され、貫通孔の内周に形成された内周パターンと接触する。内周パターンは、アンテナの側面に形成されたパターンと接続する。したがって、アンテナ導通ピン及び内周パターンを介して、アンテナの側面に形成されたパターンと給電ピンとの導通が図られることになり、アンテナの側面に形成されたパターンから回路基板への給電が行われる。このように、アンテナの底面にパターンを形成することなく、アンテナの側面に形成されたパターンから回路基板への給電が可能となる。
【００１０】
上述した電子時計において、前記アンテナは環状に形成されたアンテナであり、前記上面に形成されたパターンは無給電パターンであり、前記側面に形成されたパターンは、前記環状のアンテナの内周側斜面に形成された給電パターンであり、前記給電プレートは、前記内周側斜面に形成された給電パターンに接触する第１片と、前記底面に接触する第２片とが、中間部により接続された板バネ状部材であるようにしてもよい。この場合には、給電プレートが板バネ状部材であり、アンテナの内周側斜面に形成された給電パターンに接触する第１片と、アンテナの底面に接触する第２片とが中間部により接続されている。したがって、給電プレートは板バネ状部材の弾性力により、確実にアンテナの底面とアンテナの内周側斜面に形成された給電パターンに接触する。その結果、第２片に給電ピンが接触することにより、アンテナの内周側斜面に形成された給電パターンから回路基板への給電が行われ、この給電パターンと上面に形成されたパターンは無給電パターンとにより良好な受信が行われことになる。なお、本発明において「環状」とは、平面視で円形のみでなく、正方形や他の多角形状を含む概念である。
【００１１】
上述した電子時計において、前記アンテナは環状に形成されたアンテナであり、前記上面に形成されたパターンは無給電パターンであり、前記側面に形成されたパターンは、前記環状のアンテナの内周側斜面に形成された給電パターンであり、前記アンテナ導通ピンは、鍔部を有し、前記アンテナの貫通孔には前記鍔部と係合する段差部が形成され、前記内周側斜面に形成された給電パターンと接続された内周パターンが、前記貫通部の内周面に形成されており、前記アンテナ導通ピンの底面が前記給電ランド部として用いられるようにしてもよい。この場合には、アンテナ導通ピンの鍔部がアンテナの貫通孔に形成された段差部と係合し、アンテナ導通ピンのアンテナに対する位置決めが行われる。また、アンテナ導通ピンと、貫通部の内周面に形成された内周パターンとの接続が図られることになる。この状態でアンテナ導通ピンの底面が給電ランド部として用いられるので、アンテナ導通ピンの底面に給電ピンが接触することにより、アンテナの内周側斜面に形成された給電パターンにより受信された電波が、アンテナ導通ピン及び内周パターンを介して、回路基板に対して給電され、この給電パターンと上面に形成されたパターンは無給電パターンとにより良好な受信が行われることになる。
【図面の簡単な説明】
【００１２】
【図１】本発明の実施形態に係る電子時計を含むＧＰＳの全体図である。
【図２】電子時計の全体を示す斜視図である。
【図３】電子時計の全体を示す６面図である。
【図４】電子時計の概略を示す部分断面図である。
【図５】電子時計の外観を示す概略平面図である。
【図６】電子時計の電気制御ブロック図である。
【図７】アンテナ及び給電プレートの外観をアンテナの上面側から示す斜視図である。
【図８】アンテナ及び給電プレートの外観をアンテナの底面側から示す斜視図である。
【図９】アンテナの外観を示す平面図である。
【図１０】アンテナの外観を示す底面図である。
【図１１】給電プレートを取り付けたアンテナの外観を示す平面図である。
【図１２】給電プレートを取り付けたアンテナの外観を示す底面図である。
【図１３】給電プレートを取り付けたアンテナの断面図である。
【図１４】アンテナ及び地板の外観を示す展開斜視図である。
【図１５】地板の外観を示す平面図である。
【図１６】地板にアンテナを取り付けた状態を示す斜視図である。
【図１７】地板にアンテナを取り付けた状態を示す平面図である。
【図１８】アンテナに取り付けた給電プレートと給電ピンの接触箇所の周辺を示す断面図である。
【図１９】本発明の第２実施形態におけるアンテナ導通ピンとアンテナを示す断面図である。
【図２０】本発明の第２実施形態におけるアンテナ導通ピンを取り付けたアンテナの断面図である。
【図２１】アンテナに取り付けたアンテナ導通ピンと給電ピンの接触箇所の周辺を示す断面図である。
【発明を実施するための形態】
【００１３】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１４】
＜第１実施形態＞
＜Ａ：電子時計の概要＞
図１乃至図１８を参照しつつ本発明の第１実施形態について説明する。図１は、本発明の第１実施形態に係る電子時計を含むＧＰＳの全体図である。まず、電子時計が、外部信号としての電波を用いて、現在地の位置情報と時刻情報とを求めるＧＰＳの概要を説明する。
【００１５】
電子時計１０は、ＧＰＳ衛星８からの電波（衛星信号）を受信して内部時刻を修正する腕時計であり、腕と接触する側の面（以下、裏面）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００１６】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００１７】
ＧＰＳ衛星８は原子時計を搭載しており、衛星信号は原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００１８】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００１９】
次に、電子時計１０の概略構成について説明する。図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である、図３（ｅ）は６時方向から１２時方向を見た側面図である。図３（ｆ）は裏面側からみた平面図である。また、本実施形態の電子時計は、ワールドタイム機能とクロノグラフ機能を備えている。
【００２０】
図２及び図３に示すように、電子時計１０は、外装ケース３０と、カバーガラス３３と、裏蓋３４とを備えている。外装ケース３０は、金属で形成されていた円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００２１】
文字板１１には、指針２１．２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０及びカレンダー小窓１５などは、カバーガラス３３を透かして、視認可能となっている。
【００２２】
外装ケース３０の側面には、文字板１１の中心により、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４及びリュウズ５０が操作されることにより、操作に応じた操作信号が出力される。
【００２３】
図４に示すように、電子時計１０は、金属製の外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視中心を通り、表裏方向に延在する中心軸に沿って設けられている。
【００２４】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ１１０が収納されている。
【００２５】
アンテナ１１０は、リング形状の誘電体を基材として、これに金属のアンテナパターンをメッキや銀ペースト印刷などにより形成したものである。アンテナ１１０は、文字板１１の外周に配置されており、ベゼル３２の内周面側に配置され、さらにプラスチックで形成されたダイヤルリング４０、及びカバーガラス３３で覆われているため、良好な受信を確保することが可能となっている。誘電体としては、酸化チタンなどの高周波で使える誘電材料を樹脂に混ぜて成形することができ、この誘電体の波長短縮によってアンテナを小型化できる。
【００２６】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００２７】
文字板１１と、駆動機構１４０が取り付けられている地板１２５との間には、光発電を行ソーラーパネル１３５が備えられている。ソーラーパネル（太陽電池）１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５及び地板１２５には、指針軸２５と、第１小窓７０の指針７１、第２小窓８０の指針８１及び第３小窓９０の指針９１の指針軸（図示せず）とが貫通する孔が形成されているとともに、カレンダー小窓１５の開口部が形成されている。
【００２８】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１及び第３小窓９０の指針９１も同様の駆動機構（図示せず）を有し、各指針７１，８１，９１が駆動する。
【００２９】
回路基板１２０は、受信部（ＧＰＳモジュール）１２２、制御部１５０及びリチウムイオン電池などの二次電池１３０を備えている。二次電池１３０は、ソーラーパネル１３５が発電した電力で充電される。
また、この回路基板１２０とアンテナ１１０は、給電ピン１１５を用いて接続されている。アンテナ１１０の上面には無給電パターンが形成され、アンテナ１１０のダイヤルリング４０側の側面には給電パターンが形成されている。給電パターンには給電プレート１１４が接触しており、給電ランドとなる給電プレート１１４の底面に給電ピン１１５の一方の端部が接触している。給電ピン１１５は金属で形成されており、給電ピン１１５の他方の端部は、回路基板１２０に接触している。これにより、アンテナ１１０の給電パターンから回路基板１２０への給電が行われる。給電ピン１１５は、地板１２５に形成された貫通孔に圧入固定される。詳しくは後述する。回路基板１２０の下方には、回路基板１２０のグランド電位に接続された回路押え１２３が設けられている。
【００３０】
地板１２５は、プラスチック部品で構成されており、内部に駆動機構１４０及び二次電池１３０の取り付け部を有し、上面にはソーラーパネル１３５と文字板１１の固定部が設けられている。
【００３１】
＜Ｂ：電子時計の表示機能＞
【００３２】
次に、電子時計１０の表示機能について説明する。図５は、電子時計の外観を示す概略平面図である。
図５に示すように、文字板１１の最外周には、外周を６分割〜６０分割にする目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００３３】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００３４】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。使用者がＢボタン６２を操作することにより、指針８１が「Ｙ」または「Ｎ」のいずれか一方を指示し、衛星信号の受信結果を表示する。また、使用者がＡボタン６１とＢボタン６２とを操作して、指針８１を「Ｙ」または「Ｎ」に合わせることで、衛星信号の自動受信のＯＮ／ＯＦＦを設定することができる。また、使用者がＢボタン６２を操作して、電子時計１０に衛星信号を手動受信させた時、指針７１は、衛星の捕捉数量を表示する。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示を含む小窓が設けられる位置に応じて、視認しやすい位置に設けることが好ましい。
【００３５】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００３６】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００３７】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図４参照）のパワーインジケーターであり、電池の残量に応じて、指針９１が基端、先端、中間のいずれかを指し示す。
【００３８】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。使用者はＡボタン６１を操作し、指針９１で記号９３（機内モード）を選択することで、電子時計１０の衛星信号の受信を停止させることができる。
【００３９】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１が「１」または「４＋」のいずれかを指示し、電子時計１０が直前に受信した衛星信号の受信モードを表示する。
【００４０】
カレンダー小窓１５は、文字板１１を矩形状に開口した開口部に設けられており、開口部から数字が視認可能となっている。この数字は、年月日の「日」を表す。
【００４１】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００４２】
上述したように、文字板１１には、６０分割された分及び秒を表示する目盛が刻まれ、文字板１１の外周部を囲むダイヤルリング４０には、この目盛に沿って、ＵＴＣとの時差を表す時差情報４５が数字と、数字以外の記号と、で表記されている。数字の時差情報４５は整数の時差であり、記号の時差情報４５は整数以外の時差であることを表している指針２２，２３，８１で表示されて内部時刻と、ＵＴＣとの時差は、リュウズ５０の操作により指針２１の指し示す時差情報４５で確認することができる。
電子時計１０は、文字板１１に設けられている６０分割された目盛の一目盛に一時差を割り当てることで最大６０個までの異なる時差に対応した内部時刻を表すことができる。なお、本実施形態では、「ＵＴＣ」記号の時差情報４５は時差の基準である世界協定時を表し、「・」記号の時差情報４５は整数以外の時差を表しているが、他の記号を用いて表記をしてもよい。
【００４３】
本実施形態では、ダイヤルリング４０の「８」と「９」との数字の間に表記されている「・」記号の時差情報４５は、＋８．７５時間（＋８時間４５分）の時差を表し、ＵＴＣ＋８．７５時間を標準時として使用するタイムゾーンを意味する。現在この標準時を含め、全世界では４０種類のタイムゾーンが存在し、電子時計１０のダイヤルリング４０には、４０種類のタイムゾーンを表す時差が時差情報４５として表記されている。また、タイムゾーンの表示は６０種類以内とすることが好適である。６０種類を超えると表示が小さくなり、判別することが困難になる可能性がある。
【００４４】
ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。本実施形態では、都市名を三文字のアルファベットで略したスリーレターコードを使用して都市情報３５が表記されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」北京、「ＴＹＯ」は東京、「ＡＤＬ」はアデレード、「ＳＹＤ」はシドニー、「ＮＯＵ」はネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差情報４５の数字「９」より、東京はＵＴＣ＋９時間の標準時を使用していることを容易に判断することができる。また、「ＣＸＩ」のコードはキリスィマスィ島を表し、このコードに対応してダイヤルリング４０に併記されている時差情報４５の数字「１４」より、キリスィマスィ島はＵＴＣ＋１４時間の標準時を使用していることを容易に判断することができる。なお、本実施形態では、表示スペースの制約と視認性の向上とのため、一部の時差情報４５の時差に対応する代表都市名の表記は省略されている。また、代表都市名の表記方法は一例であり、他の方法で表記してもよい。時差情報４５３５との表記をタイムゾーン表示４６という。本実施形態では、全世界で使用されているタイムゾーンの数と等しいタイムゾーン表示４６が表記されている。
【００４５】
＜Ｃ：電子時計の電気的構成＞
次に、電子時計１０の電気的構成について説明する。
図６は、電子時計の電気制御ブロック図である。図６に示すように、電子時計１０は、ＣＰＵ（中央処理装置）１５３、ＲＡＭ（Random Access Memory）１５４、ＲＯＭ（Read Only Memory）１５５を基本構成とるす制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図５に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００４６】
受信部１２２は、アンテナ１１０を備え、アンテナ１１０を介して受信した衛星信号を処理してＧＰＳモ時刻情報や位置情報を取得する。アンテナ１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００４７】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得部とを備えている。つまり、受信部１２２、ＧＰＳ衛星８から送信される衛星信号を受信し、受信結果に基づいてＧＰＳ時刻情報と位置情報とを出力する受信部として機能する。
【００４８】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００４９】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００５０】
情報取得部は、ＢＢ部で復調した航法メッセージからＧＰＳ時刻情報や位置情報を取得する。航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００５１】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御及び計時を行う。この計時は、例えば、図示しない発振回路からの基準信号のパルス数を計数することによって行われる。
【００５２】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２２，２３，８１（図５参照）により内部時刻が表示される。
【００５３】
＜Ｄ：電子時計におけるアンテナ及び給電プレートの構成＞
次に、電子時計１０におけるアンテナ１１０及び給電プレートの構成について詳しく説明する。図７はアンテナ１１０及び給電プレート１１４の外観をアンテナ１１０の上面側から示す斜視図、図８はアンテナ１１０及び給電プレート１１４の外観をアンテナ１１０の底面側から示す斜視図である。
図７及び図８に示すように、本実施形態のアンテナ１１０はリング状に形成され、アンテナ１１０の外周には、切欠き部１１０ａが３箇所に形成されている。切欠き部１１０ａにはフランジ部１１０ｂが設けられており、後述する地板１２５のアンテナフック部１２５ｃと係合するように構成されている。また、アンテナ１１０の底面から底面に近い側面にかけて、切欠き部１１０ｃが６箇所に形成されている。切欠き部１１０ｃと、後述する地板１２５に形成された凸部１２５ａとが係合するように構成されている。
アンテナ１１０の内周側の斜面から底面にかけて、給電プレート１１４との係合凹部１１０ｄが形成されている。係合凹部１１０ｄには、斜面側凸部１１０ｅと底面側凸部１１０ｆが形成されており、給電プレート１１４の孔部と係合するように構成されている。
【００５４】
給電プレート１１４は、薄い金属製の板バネ状部材であり、アンテナ１１０の内周側の斜面における係合凹部１１０ｄと接触する第１片１１４ａと、アンテナ１１０の底面側における係合凹部１１０ｄと接触する第２片１１４ｃとが、中間部１１４ｂにより接続されたクリップ状の形状を有している。第１片１１４ａには第１孔部１１４ｄが形成され、第２片１１４ｃには第２孔部１１４ｅが形成されている。第１孔部１１４ｄは、アンテナ１１０の係合凹部１１０ｄにおける斜面側凸部１１０ｅと係合し、第２孔部１１４ｅは、アンテナ１１０の係合凹部１１０ｄにおける底面側凸部１１０ｆと係合するように構成されている。
【００５５】
図９はアンテナ１１０の平面図、図１０はアンテナ１１０の底面図である。図９に示すように、アンテナ１１０の上面には無給電パターン１１２ａが形成されている。無給電パターン１１２ａは、金属またはその他の導電性材料を用いてメッキおよび上面側からレーザー加工を行うことにより形成する。無給電パターン１１２ａは、切欠き部１１２ｃを有し、リングの一部を切り欠いたＣ形状に形成されている。
アンテナ１１０の内周側の斜面には、給電パターン１１２ｂが形成されている。給電パターン１１２ｂ、無給電パターン１１２ａと同様に、金属またはその他の導電性材料を用いてメッキおよび上面側からレーザー加工を行うことにより形成する。給電パターン１１２ｂは、円弧状の素子であり、無給電パターン１１２ａと一定の間隔を保つように形成されている。給電パターン１１２ｂは、係合凹部１１０ｄにも形成されている。図１０に示すように、底面側の係合凹部１１０ｄには給電パターンからなる給電ランド部は形成されていないが、係合凹部１１０ｄに給電プレート１１４を取り付けることにより、給電プレート１１４の第２片１１４ｃが給電ランド部として機能する。
【００５６】
図１１は給電プレート１１４を取り付けたアンテナ１１０の平面図、図１２は給電プレート１１４を取り付けたアンテナ１１０の底面図、図１３は図１１におけるＡ−Ａ’線断面図である。図１１及び図１３に示すように、給電プレート１１４の第１片１１４ａに形成された第１孔部１１４ｄは、アンテナ１１０の内周側の斜面における係合凹部１１０ｄに形成された斜面側凸部１１０ｅと係合し、給電プレート１１４の第２片１１４ｃに形成された第２孔部１１４ｅは、アンテナ１１０の底面側の係合凹部１１０ｄに形成された底面側凸部１１０ｆと係合する。図１３に二点鎖線で示すように、給電プレート１１４の第１片１１４ａと第２片１１４ｃとの間隔は、アンテナ１１０の内周側の斜面と底面との間隔よりも狭くなるように設定されている。したがって、図１３に実線で示すように給電プレート１１４をアンテナ１１０に取り付けると、給電プレート１１４の弾性力により、給電プレート１１４の第１片１１４ａは、アンテナ１１０の内周側の斜面における係合凹部１１０ｄに形成された給電パターン１１２ｂとの接触状態を良好に保つ。
【００５７】
図１４はアンテナ１１０及び地板１２５を示す展開斜視図、図１５はアンテナ１１０の平面図である。図１４及び図１５に示すように、地板１２５は、アンテナ１１０を平面方向に位置決めするための凸部１２５ａと、アンテナ１１０を高さ方向に位置決めするためのアンテナフック部１２５ｃと、アンテナ１１０を高さ方向に付勢する付勢部１２５ｄ，１２５ｅとを備えている。凸部１２５ａは、アンテナ１１０の切欠き部１１０ｃに対応する位置に形成されており、アンテナフック部１２５ｃは、アンテナ１１０の切欠き部１１０ａに対応する位置に形成されている。
【００５８】
図１６は図１４に示す状態から、地板１２５におけるアンテナ１１０の設置面に、アンテナ１１０を設置した状態を示す斜視図、図１７は図１６に示す状態の地板１２５及びアンテナ１１０を示す平面図である。図１６及び図１７に示すように、地板１２５におけるアンテナ１１０の設置面に、アンテナ１１０を設置すると、アンテナ１１０の外周の切欠き部１１０ｃと、地板１２５の凸部１２５ａとが係合し、アンテナ１１０の地板１２５に対する平面方向（周方向）の位置決めが行われる。また、アンテナ１１０の外周の切欠き部１１０ａに設けられたフランジ部１１０ｂと、地板１２５のアンテナフック部１２５ｃとが係合することにより、アンテナ１１０の地板１２５に対する下方向の位置決めが行われる。
【００５９】
図１８は図１７におけるＢ−Ｂ’線断面図である。図１８に示すように、給電ピン１１５は、地板１２５の貫通孔１２７に案内された導電性の部材であり、一方の端部は回路基板１２０に接触し、他方の端部は給電プレート１１４の第２片１１４ｃに接触する。その結果、回路基板１２０と給電プレート１１４の第２片１１４ｃとの導通が図られる。給電プレート１１４の第２片１１４ｃは、中間部１１４ｂを介して第１片１１４ａと接続されており、第１片１１４ａは給電パターン１１２ｂに接触している。したがって、給電プレート１１４の第２片１１４ｃが給電ピン１１５の先端部と接触する給電ランド部として機能することにより、回路基板１２０と給電パターン１１２ｂとの導通が図られ、給電パターン１１２ｂから回路基板１２０に対する給電が行われることになる。また、図１１に示すように、給電パターン１１２ｂは、給電プレート１１４の第１片１１４ａとの接触位置から図１１に示す左回転方向側に所定の長さを有しており、右旋偏波の電波を良好に受信することができる。
【００６０】
以上のように、本実施形態においては、アンテナ１１０の底面に給電パターンとしての給電ランド部を形成せずに、給電プレート１１４の第２片１１４ｃの底面が給電ランド部を兼用するように構成したので、底面側から行うレーザー加工の工数を低減し、コストを軽減することのできる電子時計を提供することが可能となる。
【００６１】
＜第２実施形態＞
本発明の第２実施形態について図１９乃至図２１を参照しつつ説明する。本実施形態は、給電プレートではなく、アンテナ導通ピンを用いる構成が第１実施形態と異なる。図１９はアンテナ導通ピンとアンテナを示す断面図、図２０はアンテナ導通ピンを取り付けたアンテナを示す断面図、図２１はアンテナに取り付けたアンテナ導通ピンと給電ピンの接触箇所の周辺を示す断面図である。
図１９に示すように、本実施形態においても、アンテナ１１０の上面には無給電パターン１１２ａが形成され、アンテナ１１０の内周側斜面には給電パターン１１２ｂが形成されている。本実施形態においては、アンテナ１１０には、給電パターン１１２ｂが形成された内周側斜面から底面を貫通する貫通孔１１７が形成されている。貫通孔１１７は、アンテナ１１０の内周面斜面側からの加工により形成され、貫通孔１１７には、段差部１１７ａが形成されている。貫通孔１１７の内周には、段差部１１７ａの部分まで、内周側斜面に形成された給電パターン１１２ｂと接続する内周パターン１１２ｄがメッキ等により形成されている。
【００６２】
アンテナ１１０の貫通孔１１７には、アンテナ導通ピン１１６が圧入固定される。アンテナ導通ピン１１６は、導電性の部材が形成され、先端が面取りされた円筒形状の胴部１１６ａと、円板形状の鍔部１１６ｂとを備えている。
アンテナ導通ピン１１６の鍔部１１６ｂは、アンテナ１１０の貫通孔１１７の段差部１１７ａと係合する。図２０に示すように、アンテナ導通ピン１１６の鍔部１１６ｂと、アンテナ１１０の貫通孔１１７の段差部１１７ａが係合するように、アンテナ導通ピン１１６をアンテナ１１０の貫通孔１１７に圧入固定すると、アンテナ導通ピン１１６の鍔部１１６ｂは、貫通孔１１７の段差部１１７ａに形成された内周パターン１１２ｄと接触することになる。
【００６３】
図２１はアンテナ導通ピン１１６を圧入固定したアンテナ１１０を地板１２５に取り付けた状態を示す断面図である。図２１に示すように、給電ピン１１５は、地板１２５の貫通孔１２７に圧入固定された導電性の部材であり、一方の端部は回路基板１２０に接触し、他方の端部はアンテナ導通ピン１１６の底面に接触する。その結果、回路基板１２０とアンテナ導通ピン１１６との導通が図られる。アンテナ導通ピン１１６は、内周パターン１１２ｄを介して内周側斜面の給電パターン１１２ｂと接触している。したがって、アンテナ導通ピン１１６の底面が給電ランド部として機能することにより、回路基板１２０と給電パターン１１２ｂとの導通が図られ、給電パターン１１２ｂにより受信した電波が回路基板１２０に対して給電されることになる。
【００６４】
以上のように、本実施形態においては、アンテナ１１０の底面に給電パターンとしての給電ランド部を形成せずに、アンテナ導通ピン１１６の底面が給電ランド部を兼用するように構成したので、レーザー加工の工数を低減し、コストを軽減することのできる電子時計を提供することが可能となる。
【００６５】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００６６】
（変形例１）
上述した実施形態においては、リング状のアンテナを備えた電気時計に本発明を適用した例について説明したが、本発明はこのような例に限定されるものではなく、パッチアンテナやチップアンテナあるいは逆Ｆアンテナ等を回路基板から離れた位置に配置する必要があるＧＰＳやＢｌｕｅｔｏｏｔｈ（登録商標）等を用いた携帯機器に適用可能である。
【００６７】
（変形例２）
上述した実施形態においては、地板に給電ピンを案内する例について説明したが、例えば、地板と別体の地板受け部材に給電ピンの取付用孔を設け、この取付用孔に給電ピンを案内するようにしてもよい。
【符号の説明】
【００６８】
１０…電子時計、１１…文字板、１２…文字板、３０…外装ケース、３１…ケース、３１ａ…庇、４０…ダイヤルリング、１１０…アンテナ、１１０ｅ…側面側凸部、１１０ｆ…底面側凸部、１１２ａ…無給電パターン、１１２ｂ…給電パターン、１１２ｃ…切欠き部、１１２ｄ…内周パターン、１１４…給電プレート、１１４ａ…第１片、１１４ｂ…中間部、１１４ｃ…第２片、１１４ｄ…第１孔部、１１４ｅ…第２孔部、１１５…給電ピン、１１６…アンテナ導通ピン、１１６ａ…胴部、１１６ｂ…鍔部、１１７…貫通孔、１１７ａ…段差部、１２０…回路基板、１２３…回路押え、１２５…地板、１２５ａ…凸部、１２５ｃ…アンテナフック部、１２５ｄ…付勢部、１２５ｅ…付勢部、１２７…貫通孔。
【図１】
2015220572.tif 000003
【図２】
2015220572.tif 000004
【図３】
2015220572.tif 000005
【図４】
2015220572.tif 000006
【図５】
2015220572.tif 000007
【図６】
2015220572.tif 000008
【図７】
2015220572.tif 000009
【図８】
2015220572.tif 000010
【図９】
2015220572.tif 000011
【図１０】
2015220572.tif 000012
【図１１】
2015220572.tif 000013
【図１２】
2015220572.tif 000014
【図１３】
2015220572.tif 000015
【図１４】
2015220572.tif 000016
【図１５】
2015220572.tif 000017
【図１６】
2015220572.tif 000018
【図１７】
2015220572.tif 000019
【図１８】
2015220572.tif 000020
【図１９】
2015220572.tif 000021
【図２０】
2015220572.tif 000022
【図２１】
2015220572.tif 000023